(57)【要約】  本発明は、複数のセグメントを含む防護ヘルメットに関し、複数のセグメントのうちの少なくとも２つのセグメント（１０６，１０７）は、摺動目的のために摺動接続部によって共に接続され、前記セグメントは、相補的で略平行な陥凹及び突起を有する摺動接続部によって接続され、各摺動接続部のために、前記セグメントのうちの少なくとも１つのセグメントの突起は、横バーによって共に接続される。
2013500405.tif 000002
【特許請求の範囲】
【請求項１】
複数のセグメントを含む防護ヘルメットであって、
前記セグメントのうちの少なくとも２つのセグメントは、摺動目的のために摺動接続部を用いて互いに接続され、前記摺動接続部によって接続される前記セグメントは、陥凹と、略並行で相補的な突起とを備え、
前記セグメントの少なくとも１つのセグメントからの前記突起は、各摺動接続部のために、横バーを通じて互いに接続されることを特徴とする、
防護ヘルメット。
【請求項２】
前記セグメントの各々からの突起は、横バーを用いて互いに接続され、該横バーは、摺動接続部の前記２つのセグメントの間の接続を維持するよう構成され、如何なる分離をも防止することを特徴とする、請求項１に記載の防護ヘルメット。
【請求項３】
前記セグメントの１つは、少なくとも１つのオーバーラップ素子を含み、該オーバーラップ素子は、前記横バーを前記セグメントに接続し、且つ、前記摺動接続部の前記他のセグメントからの前記突起の少なくとも１つの上に重ね合わせられることを特徴とする、請求項１又は２に記載の防護ヘルメット。
【請求項４】
前記横バーの端部の少なくとも１つは、前記突起を越えて延び、前記突起を越えて延びる前記横バーの前記端部は、移動中に、前記陥凹に沿って配置される案内素子によって案内されることを特徴とする、請求項１乃至３のうちのいずれか１項に記載の防護ヘルメット。
【請求項５】
前記陥凹の少なくとも１つは、案内素子によって少なくとも部分的に覆われ、該案内素子は、前記少なくとも１つの陥凹を含む前記セグメントと相補的な前記セグメントの前記移動を案内するよう構成されることを特徴とする、請求項１乃至３のうちのいずれか１項に記載の防護ヘルメット。
【請求項６】
前記案内素子は、前記陥凹の全長に亘って延在しないことを特徴とする、請求項４又は５に記載の防護ヘルメット。
【請求項７】
前記突起の少なくとも１つは、ストップを備え、該ストップは、前記摺動方向に沿う前記横バーの前記移動を妨げるよう構成されることを特徴とする、請求項１乃至６のうちのいずれか１項に記載の防護ヘルメット。
【請求項８】
少なくとも１つのバーが同じセグメント内の少なくとも１つの突起及び／又は１つの陥凹を覆い、前記横バーと前記セグメントとの間に内部空間を定め、前記相補的なセグメントの前記横バーの前記移動を案内するよう構成されることを特徴とする、請求項１乃至７のうちのいずれか１項に記載の防護ヘルメット。
【請求項９】
第一セグメントの前記突起及び／又は陥凹の少なくとも１つが第一シェルによって覆われ、該第一シェルは、該第一シェルと前記第一セグメントとの間に内部空間を定め、前記第一セグメントと関連付けられる前記第二セグメントの前記横バーの前記移動を案内するよう構成されることを特徴とする、請求項１乃至８のうちのいずれか１項に記載の防護ヘルメット。
【請求項１０】
前記関連付けられるセグメントの前記突起及び／又は陥凹の少なくとも１つは、第二シェルによって覆われ、該第二シェルは、該第二シェルと前記関連付けられるセグメントとの間に第二内部空間を定め、前記第一セグメントの前記横バー及び前記第一シェルの移動を可能にするよう構成されることを特徴とする、請求項９に記載の防護ヘルメット。
【発明の詳細な説明】
【技術分野】
【０００１】
本発明はヘルメットの技術領域に関し、より具体的には、自転車又はオートバイ用のヘルメットに関する。
【背景技術】
【０００２】
使用者は、サイクリング及びモータサイクリングのような多くの活動のために、ヘルメットを装着することが要求されるか、或いは、要求されないとしても、少なくとも強く推奨される。
【０００３】
従来的な防護ヘルメットを図１に示す。
【０００４】
図示のヘルメット１は、外部シェル２を含み、外部シェル２は、衝撃に抗するよう、硬い材料の薄層で作製されるのが普通である。
【０００５】
パディング２と呼ばれる材料の層がこの外部シェル２の内側に配置され、衝撃を減衰させるよう設計される。
【０００６】
外部シェル２は、ポリカーボネート、ＡＢＳ（アクリルニトリルブタジエンスチレン）、ＰＥＴ（ポリエチレンテレフタレート）、ポリイミド、又は、複合材料で作製されるのが好ましい。パディング２’は、発泡ポリスチレン、ポリウレタン、ポリプロピレン、又は、任意の他の吸収性材料のような合成フォームで構成されるのが普通である。パディング２’を幾つかの材料層で構成し得る。
【０００７】
従来的、防護ヘルメットは顎紐型の保持システムを備える。それは、使用者の頭に適合するよう、ベルクロ（ＴＭ）型の自己把持(self-gripping)締結具を用いてヘルメットの内壁に固定される、異なる厚みを備える調節可能なヘッドバンド及び／又はフォームパッドを有利に備える。これらのシステムは既知であり、図面には示されていない。
【０００８】
ヘルメットは、照明システム、バイザ（ひさし）、反射装置、及び、装飾物も備え得る。これらのアクセサリを任意の適切な手段によって取り外し可能にし、接着し、或いは、固定し得る。
【０００９】
その機械的強度を向上するために、例えば金属又は複合材料で作製される補強材（スチフナ）を、ヘルメットの内側に挿入し得る。例えば、これらの補強材は外部シェル２又はパディング２’内にインサート成形される。
【００１０】
ヘルメットは頭部の冷却を向上する通気口を備え得る。使用者を雨や寒さから守るために、これらの通気口をプラスチック又は可撓材料で作製されるキャッシュ(cache)によって閉塞し得る。これらのキャッシュを所定の場所にクリップ留めし得るし、或いは、自己把持締結具(self-gripping)又はスナップを用いて締結し得る。
【００１１】
外部シェル２及びパディング２’が図１に示されているが、外部シェル２又はパディング２’を部分的に又は完全に欠く変形ヘルメット、例えば、パディング２’を有さない工事現場ヘルメットが存在する。
【００１２】
使用者に十分な保護をもたらすよう、これらのヘルメットは厳格な安全基準を満足しなければならない。
【発明の概要】
【発明が解決しようとする課題】
【００１３】
これらの制約は、使用において余り実用的でない大型のヘルメットをもたらす。自転車又はオートバイを輸送手段並びに簡単な活動として使用し得る。結果的に、旅程(journey)が完了するや否や、使用者はヘルメットを片付けなければならない。従って、上述の安全基準を満足することを条件として、ヘルメットの大きさは最小限化されるのが望ましい。
【００１４】
文献ＷＯ２００７／０６８８４６号は、折畳み可能な防護ヘルメットを開示している。しかしながら、この文献に開示されている解決策は、ヘルメットにおける不連続性、具体的には、ヘルメットを構成する異なるセグメント間の望ましくない空間を招き、それは使用者にとって邪魔であり得るし、ヘルメットを衝撃に対してより無防備にし得る。
【課題を解決するための手段】
【００１５】
本発明はこの問題を解消することに向けられており、本発明は、複数のセグメントを含む防護ヘルメットであって、セグメントのうちの少なくとも２つは、摺動目的のために摺動接続部を用いて互いに接続され、摺動接続部によって接続されるセグメントは、陥凹と、略平行な相補的な突起とを備え、セグメントのうちの少なくとも１つからの突起は、各摺動接続のために横バーを通じて互いに接続されることを特徴とする防護ヘルメットを開示している。
【００１６】
前記ヘルメットは、以下の特性の１つ又は幾つかを有利に有し得る。
−  セグメントの各々からの突起は、横バーを用いて互いに接続され、横バーは摺動接続部の２つのセグメントの間の接続を維持するよう構成され、如何なる分離をも防止する。
−  セグメントのうちの１つは、少なくとも１つのオーバーラップ素子を含み、オーバーラップ素子は、横バーを前記セグメントに接続し、摺動接続部の他のセグメントからの突起の少なくとも１つの上に重ね合わせられる。
−  横バーの端部の少なくとも１つは突起を越えて延び、突起を越えて延びる横バーの前記端部は、分離中に、陥凹に沿って配置される案内素子によって案内される。
−  陥凹の少なくとも１つは、案内素子によって少なくとも部分的に覆われ、案内素子は、前記少なくとも１つの陥凹を含むセグメントと相補的なセグメントの移動を案内するよう構成される。
−  前記案内素子は、前記陥凹の全長に亘って延在しない。
−  前記突起の少なくとも１つは、ストップを備え、ストップは摺動方向に沿う横バーの移動を妨げるよう構成される。
−  少なくとも１つの横バーは、同じセグメント内の少なくとも１つの突起及び／又は１つの陥凹を覆い、前記横バーとセグメントとの間に内部空間を定め、相補的セグメントの横バーの移動を案内するよう構成される。
−  第一セグメントの前記突起及び／又は陥凹の少なくとも１つは第一シェルによって覆われ、第一シェルは第一シェルと第一セグメントとの間に内部空間を定め、第一セグメントと関連付けられる第二セグメントの横バーの移動を案内するよう構成される。
−  前記関連付けられるセグメントの突起及び／又は陥凹の少なくとも１つは、第二シェルによって覆われ、第二シェルは、第二シェルと前記関連付けられるセグメントとの間に第二内部空間を定め、第一シェル及び第一セグメントの横バーの移動を可能にするよう構成される。
【００１７】
本発明の他の特徴、目的、及び、利点は、純粋に例示的で非限定的な目的のために与えられ且つ付属の図面を参照して判読されるべき以下の記載から明らかであろう。
【図面の簡単な説明】
【００１８】
【図１】上述の従来技術の防護ヘルメットの外観を示す斜視図である。
【図２】防護ヘルメットの表面に対して接線方向にあるヒンジ接続部を示す斜視図である。
【図３】防護ヘルメットの表面に対して接線方向にあるヒンジ接続部を示す断面図である。
【図４】防護ヘルメットの表面に対して接線方向にあるヒンジ接続部を示す斜視図である。
【図５】防護ヘルメットの表面に対して接線方向にあるヒンジ接続部の他の実施態様を示す断面図である。
【図６】防護ヘルメットの表面に対して接線方向にあるヒンジ接続部の他の実施態様を示す斜視図である。
【図７】防護ヘルメットの表面に対して接線方向にあるヒンジ接続部の他の実施態様を示す断面図である。
【図８】防護ヘルメットの表面に対して接線方向にあるヒンジ接続部の他の実施態様を示す斜視図である。
【図９】防護ヘルメットの表面に対して接線方向にあるヒンジ接続部の他の実施態様を示す斜視図である。
【図１０】防護ヘルメットの表面に対して接線方向にあるヒンジ接続部の他の実施態様を示す斜視図である。
【図１１】防護ヘルメットの表面に対して接線方向にあるヒンジ接続部の他の実施態様を示す断面図である。
【図１２】防護ヘルメットの表面に対して接線方向にあるヒンジ接続部の他の実施態様を示す斜視図である。
【図１３】防護ヘルメットの表面に対して接線方向にあるヒンジ接続部の他の実施態様を示す斜視図である。
【図１４】摺動接続部を含む防護ヘルメットを示す斜視図である。
【図１５】摺動接続部を含む防護ヘルメットを示す断面図である。
【図１６】摺動接続部を含む防護ヘルメットを示す斜視図である。
【図１７】防護ヘルメットのための摺動手段の他の実施態様を示す斜視図である。
【図１８】防護ヘルメットのための摺動手段の他の実施態様を示す斜視図である。
【図１９】防護ヘルメットのための摺動手段の他の実施態様を示す斜視図である。
【図２０】防護ヘルメットのための摺動手段の他の実施態様を示す斜視図である。
【図２１】防護ヘルメットのための摺動手段の他の実施態様を示す斜視図である。
【図２２】防護ヘルメットのための摺動手段の他の実施態様を示す断面図である。
【図２３】防護ヘルメットのための摺動手段の他の実施態様を示す斜視図である。
【図２４】防護ヘルメットのための摺動手段の他の実施態様を示す斜視図である。
【図２５】防護ヘルメットのための摺動手段の他の実施態様を示す断面図である。
【図２６】防護ヘルメットのための摺動手段の他の実施態様を示す斜視図である。
【図２７】防護ヘルメットのための摺動手段の他の実施態様を示す斜視図である。
【図２８】防護ヘルメットのための摺動手段の他の実施態様を示す斜視図である。
【図２９】防護ヘルメットのための摺動手段の他の実施態様を示す斜視図である。
【図３０】防護ヘルメットのための摺動手段の他の実施態様を示す斜視図である。
【図３１】防護ヘルメットのための摺動手段の他の実施態様を示す斜視図である。
【図３２】防護ヘルメットのための摺動手段の他の実施態様を示す斜視図である。
【図３３】パディング及び外部シェルのための固定装置を示す詳細図である。
【図３４】パディング及び外部シェルのための固定装置を示す詳細図である。
【図３５】パディング及び外部シェルのための固定装置の他の実施態様を示す詳細図である。
【図３６】パディング及び外部シェルのための固定装置の他の実施態様を示す詳細図である。
【図３７】パディング及び外部シェルのための固定装置の他の実施態様を示す詳細図である。
【図３８】パディング及び外部シェルのための固定装置の他の実施態様を示す詳細図である。
【図３９】パディング及び外部シェルのための固定装置の他の実施態様を示す詳細図である。
【図４０】パディング及び外部シェルのための固定装置の他の実施態様を示す詳細図である。
【図４１】パディング及び外部シェルのための固定装置の他の実施態様を示す詳細図である。
【図４２】パディング及び外部シェルのための固定装置の他の実施態様を示す詳細図である。
【図４３】パディング及び外部シェルのための固定装置の他の実施態様を示す詳細図である。
【図４４】特に防護ヘルメットにおいて使用し得る係止装置を示す斜視図である。
【図４５】特に防護ヘルメットにおいて使用し得る係止装置を示す断面図である。
【図４６】特に防護ヘルメットにおいて使用し得る係止装置を示す分解図である。
【図４７】係止位置にある係止装置の異なる実施態様を示す頂部断面図であり、特に防護ヘルメットにおいて使用し得る係止装置を示している。
【図４８】解除位置にある係止装置の異なる実施態様を示す頂部断面図であり、特に防護ヘルメットにおいて使用し得る係止装置を示している。
【図４９】係止装置の他の実施態様を示す斜視図である。
【図５０】係止装置の他の実施態様を示す断面図である。
【図５１】係止装置の他の実施態様を示す分解図である。
【図５２】係止位置にある係止装置の異なる実施態様を示す頂部断面図であり、係止装置の他の実施態様を示している。
【図５３】解除位置にある係止装置の異なる実施態様を示す頂部断面図であり、係止装置の他の実施態様を示している。
【図５４】係止装置の他の実施態様を示す斜視図である。
【図５５】係止装置の他の実施態様を示す断面図である。
【図５６】係止装置の他の実施態様を示す分解図である。
【図５７】係止位置にある係止装置の異なる実施態様を示す頂部断面図であり、係止装置の他の実施態様を示している。
【図５８】解除位置にある係止装置の異なる実施態様を示す頂部断面図であり、係止装置の他の実施態様を示している。
【図５９】係止装置の他の実施態様を示す斜視図である。
【図６０】係止装置の他の実施態様を示す断面図である。
【図６１】係止装置の他の実施態様を示す分解図である。
【図６２】係止位置にある係止装置の異なる実施態様を示す頂部断面図であり、係止装置の他の実施態様を示している。
【図６３】解除位置にある係止装置の異なる実施態様を示す頂部断面図であり、係止装置の他の実施態様を示している。
【図６４】係止装置の他の実施態様を示す斜視図である。
【図６５】係止装置の他の実施態様を示す断面図である。
【図６６】係止装置の他の実施態様を示す分解図である。
【図６７】係止位置にある係止装置の異なる実施態様を示す頂部断面図であり、係止装置の他の実施態様を示している。
【図６８】解除位置にある係止装置の異なる実施態様を示す頂部断面図であり、係止装置の他の実施態様を示している。
【図６９】係止装置の他の実施態様を示す斜視図である。
【図７０】係止装置の他の実施態様を示す断面図である。
【図７１】係止装置の他の実施態様を示す分解図である。
【図７２】係止位置にある係止装置の異なる実施態様を示す頂部断面図であり、係止装置の他の実施態様を示している。
【図７３】解除位置にある係止装置の異なる実施態様を示す頂部断面図であり、係止装置の他の実施態様を示している。
【図７４】係止装置の他の実施態様を示す斜視図である。
【図７５】係止装置の他の実施態様を示す分解図である。
【図７６】係止位置にある係止装置の異なる実施態様を示す頂部断面図であり、係止装置の他の実施態様を示している。
【図７７】解除位置にある係止装置の異なる実施態様を示す頂部断面図であり、係止装置の他の実施態様を示している。
【図７８】係止装置の他の実施態様を示す斜視図である。
【図７９】係止装置の他の実施態様を示す分解図である。
【図８０】係止位置にある係止装置の異なる実施態様を示す頂部断面図であり、係止装置の他の実施態様を示している。
【図８１】解除位置にある係止装置の異なる実施態様を示す頂部断面図であり、係止装置の他の実施態様を示している。
【図８２】係止装置の他の実施態様を示す斜視図である。
【図８３】係止装置の他の実施態様を示す分解図である。
【図８４】係止位置にある係止装置の異なる実施態様を示す頂部断面図であり、係止装置の他の実施態様を示している。
【図８５】解除位置にある係止装置の異なる実施態様を示す頂部断面図であり、係止装置の他の実施態様を示している。
【図８６】係止位置にある係止装置の異なる実施態様を示す頂部断面図であり、係止装置の他の実施態様を示している。
【図８７】解除位置にある係止装置の異なる実施態様を示す頂部断面図であり、係止装置の他の実施態様を示している。
【図８８】係止装置の他の実施態様を示す斜視図である。
【図８９】係止位置にある係止装置の異なる実施態様を示す頂部断面図であり、係止装置の他の実施態様を示している。
【図９０】係止装置の他の実施態様を示す分解図である。
【図９１】係止装置の他の実施態様を示す斜視図である。
【図９２】係止装置の他の実施態様を示す断面図である。
【図９３】係止装置の他の実施態様を示す分解図である。
【図９４】係止位置にある係止装置の異なる実施態様を示す頂部断面図であり、係止装置の他の実施態様を示している。
【図９５】解除位置にある係止装置の異なる実施態様を示す頂部断面図であり、係止装置の他の実施態様を示している。
【図９６】折畳み可能な防護ヘルメットを示す斜視図であり、拡張位置にあるヘルメットの変形を示している。
【図９７】折畳み可能な防護ヘルメットを示す頂面図であり、拡張位置にあるヘルメットの変形を示している。
【図９８】折畳み可能な防護ヘルメットを示す斜視図であり、折畳み位置にあるヘルメットの変形を示している。
【図９９】折畳み可能な防護ヘルメットを示す斜視図であり、折畳み位置にあるヘルメットの変形を示している。
【図１００】折畳み可能な防護ヘルメットの他の実施態様を示す斜視図であり、拡張位置にあるヘルメットの変形を示している。
【図１０１】折畳み可能な防護ヘルメットの他の実施態様を示す斜視図であり、折畳み位置にあるヘルメットの変形を示している。
【図１０２】折畳み可能な防護ヘルメットの他の実施態様を示す斜視図であり、拡張位置にあるヘルメットの変形を示している。
【図１０３】折畳み可能な防護ヘルメットの他の実施態様を示す斜視図であり、折畳み位置にあるヘルメットの変形を示している。
【図１０４】折畳み可能な防護ヘルメットの他の実施態様を示す斜視図であり、拡張位置にあるヘルメットの変形を示している。
【図１０５】折畳み可能な防護ヘルメットの他の実施態様を示す頂面図であり、拡張位置にあるヘルメットの変形を示している。
【図１０６】折畳み可能な防護ヘルメットの他の実施態様を示す斜視図であり、折畳み位置にあるヘルメットの変形を示している。
【図１０７】折畳み可能な防護ヘルメットの他の実施態様を示す斜視図であり、折畳み位置にあるヘルメットの変形を示している。
【図１０８】折畳み可能な防護ヘルメットの他の実施態様を示す斜視図であり、拡張位置にあるヘルメットの変形を示している。
【図１０９】折畳み可能な防護ヘルメットの他の実施態様を示す頂面図であり、拡張位置にあるヘルメットの変形を示している。
【図１１０】折畳み可能な防護ヘルメットの他の実施態様を示す斜視図であり、折畳み位置にあるヘルメットの変形を示している。
【図１１１】折畳み可能な防護ヘルメットの他の実施態様を示す頂面図であり、折畳み位置にあるヘルメットの変形を示している。
【図１１２】折畳み可能な防護ヘルメットの他の実施態様を示す斜視図であり、拡張位置にあるヘルメットの変形を示している。
【図１１３】折畳み可能な防護ヘルメットの他の実施態様を示す頂面図であり、拡張位置にあるヘルメットの変形を示している。
【図１１４】折畳み可能な防護ヘルメットの他の実施態様を示す斜視図であり、折畳み位置にあるヘルメットの変形を示している。
【図１１５】折畳み可能な防護ヘルメットの他の実施態様を示す斜視図であり、折畳み位置にあるヘルメットの変形を示している。
【図１１６】折畳み可能な防護ヘルメットの他の実施態様を示す斜視図であり、拡張位置にあるヘルメットの変形を示している。
【図１１７】折畳み可能な防護ヘルメットの他の実施態様を示す斜視図であり、拡張位置にあるヘルメットの変形を示している。
【図１１８】折畳み可能な防護ヘルメットの他の実施態様を示す斜視図であり、折畳み位置にあるヘルメットの変形を示している。
【図１１９】折畳み可能な防護ヘルメットの他の実施態様を示す斜視図であり、折畳み位置にあるヘルメットの変形を示している。
【図１２０】折畳み可能な防護ヘルメットの他の実施態様を示す斜視図であり、拡張位置にあるヘルメットの変形を示している。
【図１２１】折畳み可能な防護ヘルメットの他の実施態様を示す斜視図であり、拡張位置にあるヘルメットの変形を示している。
【図１２２】折畳み可能な防護ヘルメットの他の実施態様を示す斜視図であり、折畳み位置にあるヘルメットの変形を示している。
【図１２３】折畳み可能な防護ヘルメットの他の実施態様を示す斜視図であり、拡張位置にあるヘルメットの変形を示している。
【図１２４】折畳み可能な防護ヘルメットの他の実施態様を示す斜視図であり、拡張位置にあるヘルメットの変形を示している。
【図１２５】折畳み可能な防護ヘルメットの他の実施態様を示す斜視図であり、折畳み位置にあるヘルメットの変形を示している。
【図１２６】折畳み可能な防護ヘルメットの他の実施態様を示す斜視図であり、拡張位置にあるヘルメットの変形を示している。
【図１２７】折畳み可能な防護ヘルメットの他の実施態様を示す頂面図であり、拡張位置にあるヘルメットの変形を示している。
【図１２８】折畳み可能な防護ヘルメットの他の実施態様を示す斜視図であり、折畳み位置にあるヘルメットの変形を示している。
【図１２９】折畳み可能な防護ヘルメットの他の実施態様を示す斜視図であり、拡張位置にあるヘルメットの変形を示している。
【図１３０】折畳み可能な防護ヘルメットの他の実施態様を示す頂面図であり、拡張位置にあるヘルメットの変形を示している。
【図１３１】折畳み可能な防護ヘルメットの他の実施態様を示す斜視図であり、折畳み位置にあるヘルメットの変形を示している。
【図１３２】折畳み可能な防護ヘルメットの他の実施態様を示す斜視図であり、拡張位置にあるヘルメットの変形を示している。
【図１３３】折畳み可能な防護ヘルメットの他の実施態様を示す頂面図であり、拡張位置にあるヘルメットの変形を示している。
【図１３４】折畳み可能な防護ヘルメットの他の実施態様を示す斜視図であり、折畳み位置にあるヘルメットの変形を示している。
【図１３５】折畳み可能な防護ヘルメットの他の実施態様を示す斜視図であり、折畳み位置にあるヘルメットの変形を示している。
【図１３６】折畳み可能な防護ヘルメットの他の実施態様を示す斜視図であり、拡張位置にあるヘルメットの変形を示している。
【図１３７】折畳み可能な防護ヘルメットの他の実施態様を示す頂面図であり、拡張位置にあるヘルメットの変形を示している。
【図１３８】折畳み可能な防護ヘルメットの他の実施態様を示す斜視図であり、折畳み位置にあるヘルメットの変形を示している。
【図１３９】折畳み可能な防護ヘルメットの他の実施態様を示す斜視図であり、折畳み位置にあるヘルメットの変形を示している。
【図１４０】折畳み可能な防護ヘルメットの他の実施態様を示す斜視図であり、拡張位置にあるヘルメットの変形を示している。
【図１４１】折畳み可能な防護ヘルメットの他の実施態様を示す斜視図であり、拡張位置にあるヘルメットの変形を示している。
【図１４２】折畳み可能な防護ヘルメットの他の実施態様を示す斜視図であり、折畳み位置にあるヘルメットの変形を示している。
【図１４３】折畳み可能な防護ヘルメットの他の実施態様を示す斜視図であり、折畳み位置にあるヘルメットの変形を示している。
【図１４４】折畳み可能な防護ヘルメットの他の実施態様を示す斜視図であり、拡張位置にあるヘルメットの変形を示している。
【図１４５】折畳み可能な防護ヘルメットの他の実施態様を示す斜視図であり、拡張位置にあるヘルメットの変形を示している。
【図１４６】折畳み可能な防護ヘルメットの他の実施態様を示す斜視図であり、折畳み位置にあるヘルメットの変形を示している。
【図１４７】折畳み可能な防護ヘルメットの他の実施態様を示す斜視図であり、拡張位置にあるヘルメットの変形を示している。
【図１４８】折畳み可能な防護ヘルメットの他の実施態様を示す斜視図であり、拡張位置にあるヘルメットの変形を示している。
【図１４９】折畳み可能な防護ヘルメットの他の実施態様を示す斜視図であり、折畳み位置にあるヘルメットの変形を示している。
【図１５０】ヘルメットの特別な変形を示す斜視図である。
【図１５１】ヘルメットの特別な変形を示す斜視図である。
【図１５２】ヘルメットの特別な変形を詳細に示す断面図である。
【発明を実施するための形態】
【００１９】
全ての図面上で、類似の素子は、同一の参照番号を有する。
【００２０】
我々は、今や、本発明に従ってヘルメットに適用し得る幾つかの特徴を提示する。これらの特徴は、互いに無関係にそれら自体において有利であり得る。それらの利点を組み合わせるために、任意の数のこれらの特徴を組み合わせ得る。一部の組み合わせは、以下に述べる相乗効果も有する。
【００２１】
ヒンジ接続部、摺動接続部、及び、係止装置を示す図面には、防護ヘルメットのセグメント３及び４が示されており、これらのセグメント３及び４は、種々雑多の接続手段又は係止手段によって接続される。
【００２２】
上述のように、ヘルメット１は、外部シェル２及び／又はパディング２’を含む。
【００２３】
図示の実施態様において、ヘルメット１は、幾つかのセグメントで構成されており、これらのセグメントの各々は、外部シェル２のセグメントとパディング２’のセグメントとで構成されている。
【００２４】
これらの実施態様を、外部シェル２又はパディング２’が少なくとも１つのセグメントから完全に又は部分的に欠落する場合に適合し得ることが理解されよう。
【００２５】
その上、セグメントの外部シェル２及び／又はパディング２を幾つかの部分で構成し得る。
【００２６】
ヒンジ接続部
図２、図３、及び、図４は、ヘルメットの表面に対して接線方向にあるヒンジ接続部３０を示している。
【００２７】
図２は、拡張位置にあるヘルメット１の外表面の一部を、僅かな斜視を伴って示している。
【００２８】
図３に示される図面は、ヒンジ接続ピンを含み且つヘルメット１の表面に対して垂直な平面における断面図である。
【００２９】
防護ヘルメット１は、複数のセグメント、この場合には、セグメント３及び４を含み、これらのセグメント３及び４は、ヒンジ接続部３０によって互いにヒンジ（蝶番）接続されている。
【００３０】
図４は、セグメント３及び４を、それらの折畳み位置において示している。
【００３１】
図２乃至４に示される実施態様において、前記セグメント３及び４は、陥凹(indentations)５と、相補的な突起(protrusions)とを含み、それらの端部には、ナックル(knuckle)７及び８で構成されるヒンジ（蝶番）３０が配置され、前記ヒンジ接続部３０の回転ピン９がナックル内に配置されており、この場合、回転ピンは、ネジで構成されている。
【００３２】
セグメント３及び４にそれぞれ配置されるナックル７及び８を突起６の端部から後退させ得る。
【００３３】
セグメントの厚み及び曲率、即ち、ヒンジ接続部３０の回転ピン９の位置の故に妨げられないセグメントの回転を考慮して、陥凹５はセグメント３及び４の移動も可能にする。従って、陥凹５の深さは、セグメント３及び４の回転を可能にするよう、セグメント３及び４の全体的な厚さと少なくとも等しいことが好ましい。
【００３４】
ヒンジ接続部３０の旋回が限定的であるならば、陥凹５は、セグメント３及び４の厚みの全体又は一部に亘ってそれ程厚くなくてもよい。
【００３５】
セグメント３及び４がヘルメット１の外側に向かってのみ旋回する特別な実施態様では、セグメント３及び４内に貫通する陥凹５は無くてもよく、この場合、それらは突起６に面するより薄いゾーンのみを含む。
【００３６】
ナックルの数並びにそれらの幾何学的構成及び寸法が異なり得るのは明らかであり、図示の実施態様は単なる１つの実施例である。
【００３７】
ナックル７及び８の機能は、ヒンジ接続部３０のピン９を案内すること、及び、ピン９の方向に沿うこれらのセグメントの如何なる相対的な動作をも防止するよう、セグメント３及び４を共に閉塞することである。
【００３８】
ナックル７及び８は、セグメント３及び４の一体的な部分を形成し得るし、或いは、ネジ止め(screwing)、クリンプ加工(crimping)、リベット打ち(riveting)、接着(gluing)、溶接(welding)、インサート成形(insert moulding)、又は、任意の他の適切な組立て手段によってセグメント３及び４上に固定されるアドオン部品であり得る。それらをヘルメット１の表面の外側に配置し得るし、或いは、図２及び３に示されるように、セグメント３及び４内に埋設し得る。
【００３９】
ヒンジ３０の回転ピン９は、ヘルメット１のセグメント３及び４の表面に対して接線方向又は略接線方向にある。しかしながら、審美的及び動力学的な理由のために並びに使用者の快適性のために、ヘルメット１のセグメント３及び４の丸い幾何学的構成の故に、ピンに沿う全ての地点で接線方向にあることは可能ではない。従って、ピン９は、１つの地点で表面に対して接線方向にあり、その直線構造は、ピンが接点の各側でこの表面から僅かに離れる方向に移動するような構造である。
【００４０】
例えば、ヒンジ３０の回転ピン９をセグメント３及び４の一方にネジ止め、クリンプ加工、リベット打ち、又は、接着し得る。
【００４１】
この場合、回転ピン９はネジで構成され、ナックル７及び８を通じる通路内に配置される。通路は、ナックル７及び８の各端部で開放されていても、開放されてなくてもよい。
【００４２】
幾つかの他の変形が可能である。例えば、回転ピン９をリベットで構成してよく、或いは、回転ピン９を２つのセグメントの一方内に圧力嵌めしてもよく、それはナックル内に回転ピン９を収容する空洞がヒンジ３０の２つの端部で開放する必要を回避する。この場合、単一の端部は開放され、回転軸９はそこを通じて圧力嵌めされ、それは両端部が開放する実施態様に対して審美的な利点を有する。
【００４３】
図６及び図７は、１つの開放端部のみを備える実施態様を示している。
【００４４】
他の可能な実施態様によれば、弾性リングが、回転ピン内に配置される溝内に収容され、弾性リングは、回転ピン９を軸方向において係止し得るよう、ナックル７及び８の間の所定位置に保持される。
【００４５】
他の可能な軸方向係止方法は、ヒンジ接続部３０の組立て中に弾性的に変形可能であり、ナックル７又は８の一方内に配置される開口内に収容され、且つ、回転ピン９の軸方向係止をもたらす、回転ピン９上のタブで構成され得る。
【００４６】
この種類の軸方向係止を含むこの特別な実施態様が図５に示されており、回転軸９は、ナックル８の１つの内部に配置される開口８’内に収容されるタブ９’を含む。
【００４７】
それらが成形されるならば、これらの部分の製造を単純化するよう、ナックル７及び８がセグメント３及び４の外表面の各側に交互に配置される開口を含むならば、有利であり得る。
【００４８】
図６乃至９に示される変形によれば、セグメント４に固定されるナックル８は、それらの全長に亘る開口２６を備える。それらはセグメント３の外部シェル２及びヒンジ接続部３０のピン９によって案内される。この実施態様は、セグメント４の外部シェルの製造を単純化する。セグメント３及び４は、図６に拡張位置において示されており、図９に折畳み位置において示されている。図７は、図６の断面図を示している。図８は、拡張位置におけるヘルメットの内側からの図である。ピン９は、セグメント３の一体的な部分を形成し得る。この場合、ナックル８内に配置される開口２６は、ヒンジ接続部３０が組ら立てられるとき、ピン９のための通路として作用する。
【００４９】
回転ピン９を幾つかの素子、例えば、２つのネジ２７で構成してもよく、各ネジは、回転ピン９の両端部の一方に固定される。その場合には、セグメントの厚みが影響されないよう、これらの２つのネジ２７がピンの中央で互いに接触しないならば、有利であり得る。図１０及び図１１は、そのような実施態様を示している。
【００５０】
図１２及び図１３に示される他の実施態様によれば、ヒンジ接続部３０のピンは、突起６の端部から後退させられる。次に、横バー２３及び２４が、突起の端部とナックル７及び８との間で、セグメント３及び４にそれぞれ固定される。単一のセグメント上の突起を接続するこれらの横バー２３及び２４は、ヒンジ接続部３０の回転を制限し得る。変形として、横バーを１つのセグメント上にのみ設け得る。２つのセグメント３及び４の各々の上に横バー２３及び２４があるならば、横バー２３及び／又は２４の少なくとも一方は、ヒンジ接続部３０が組み立てられるときに固定されるのが好ましい。
【００５１】
ヘルメット１を使用位置、換言すれば、拡張位置から、取扱い及び片付けがより容易な、折り畳まれたよりコンパクトな位置に移動し得るよう、ヘルメット１の表面に対して接線方向にあるそのようなヒンジ接続部３０は、ヘルメット１を構成するセグメント３及び４の相対的な回転を可能にする。
【００５２】
図面に示される異なる変形において、ヒンジ接続部は、ヘルメット１の構造素子の一体的な部分、より具体的には、外部シェルを形成し、このヘルメット１を、接続手段がヘルメット上に加えられるときよりも強くする。
【００５３】
他の実施態様が可能であることが理解されるべきであるのは明らかである。
【００５４】
摺動接続
図１４、１５、及び、１６は、摺動接続部３１を含む防護ヘルメット１の一部を示している。
【００５５】
上述のように、防護ヘルメット１は、セグメント３及び４で構成され、これらのセグメントは、摺動接続部３１によって互いに接続されている。
【００５６】
これらのセグメント３及び４は、セグメント３及び４上に互いに面し合って配置される陥凹５と相補的な突起６とを含み、セグメント３及び４からの各突起６は、他のセグメント４及び３の陥凹５に面して配置される。よって、互いに対するセグメント３及び４の摺動運動は、一方のセグメントの陥凹５を他方のセグメントの突起６に係合させ、逆もまた同様である。
【００５７】
これらの陥凹５及び突起６は、ヘルメットの壁に開口又は通気口を形成するよう、セグメント３及び４の厚み全体を通じて、換言すれば、セグメント３及び４を構成する外部シェルのセグメント及び／又はパディングのセグメントの厚み全体を通じて延びるのが典型的である。
【００５８】
各セグメント３及び４の突起６の端部に、横バー１０及び１１がそれぞれある（換言すれば、それらは突起６の突出方向に対して横方向に据え付けられ、それは、突起６が陥凹５内で摺動する方向でもある）。
【００５９】
横バー１０及び１１を突起６の端部から後退して配置してもよく、それは摺動距離に影響を及ぼす。
【００６０】
しかしながら、この例示される実施態様は限定的でない。単一のセグメント３又は４からの突起６のみが横バー１０又は１１を通じて接続されるのも可能である。その場合、摺動接続部３１の他のセグメントからの突起６は、適合されるストップ又はタブのような相補的な手段を含み得る。
【００６１】
陥凹５及び突起６の数、それらの幾何学的構成及び寸法、並びに、横バー１０及び／又は１１の形状が異なり得るのは明らかである。
【００６２】
横バー１０及び／又は１１は、セグメント３及び／又は４の一体的な部分を形成し得るし、或いは、それらを追加し、例えば、ネジ止め、接着、リベット打ち、クリンプ加工、クリップ留め(clipping)、又は、溶接によって、或いは、任意の他の取付け手段によって固定し得る。これらの横バー１０及び／又は１１は、ヘルメット１のシェルの外面に配置されるのが典型的である。２つのセグメント３及び４の各々が横バー１０及び１１を含む場合には、２つのセグメント３及び４が共に係合された後、２つのバー１０又は１１の一方が追加されるのが好ましい。
【００６３】
図示の実施態様において、横バー１０は、セグメント３の一体的な部分を形成するのに対し、横バー１１は、ネジ１２を使用してセグメント４に固定される。セグメント４からの突起６がセグメント３の陥凹５内に少なくとも部分的に挿入される間に、セグメント４への横バー１１の取付けが行われるのが分かるであろう。よって、横バー１１がセグメント４にネジ止めされるや否や、バーは、如何なる離脱をも防止することによって、２つのセグメント３及び４の間のリンク（連結）を維持する。
【００６４】
図１４は、セグメント３及び４をそれらの拡張位置において示しており、拡張位置において、陥凹５は空であり、よって、ヘルメット１の壁に開口又は通気口を形成する。
【００６５】
図１５は、図１４の断面図を示している。
【００６６】
図１６は、セグメント３及び４をそれらの拡張位置において示しており、拡張位置において、陥凹５は、相補的セグメントからの突起６によって占められている。これはセグメント３及び４の突起６及び陥凹５の長さとほぼ等しい空間の節約を生み出す。
【００６７】
各貫通陥凹５をセグメントよりも薄肉のゾーンと交換し得る。その場合、陥凹５に面して配置される相補的なセグメントに属する突起６もより薄い。
【００６８】
２つのセグメント３及び４の各々がバー１０及び１１を備えるならば、突起６は、摺動の方向に沿うバー１０及び１１の移動、従って、折畳み方向におけるこの方向に沿うセグメント３及び４の移動を防止する、１つ又は幾つかのストップ２８を備え得る。この場合における利点は、ヘルメット１が拡張位置にあるとき、セグメント３及び４の相対的な移動が防止されることである。その場合、使用者は、摺動を可能にするために、例えば、一方のセグメント３又は４を他方に対して旋回させなければならない。
【００６９】
図１８及び１９は、ストップ２８を含むそのような実施態様を示している。
【００７０】
他の実施態様によれば、横バー１０及び１１の少なくとも一方の一端又は両端は、セグメント３及び４からの突起を越えて突出する。この実施態様の１つの具体的な変形によれば、突起を越えて突出する横バー１０及び／又は１１の端部の動作を案内部分によって案内し得る。案内部分は陥凹５に沿って配置され、場合によっては、例えば、セグメント３又は４の一方又は他方に固定される。
【００７１】
バー１０及び／又は１１の端部の突起並びに案内部分の組み合わせは、接続部の回転動作を制限し得る。
【００７２】
案内部分は、陥凹５の長さの全部又は一部に亘って存在し得る。それらが陥凹５の全長に亘って存在しないという事実は、横バーの端部が少なくとも１つの案内部分によって案内されないときに、移動距離の端部での接続部の旋回を可能にする。
【００７３】
案内部分は、横バー１０及び／又は１１が挿入されるスリットが形成される突出部(protuberance)、又は、突起６と平行であり且つ横バー１０及び／又は１１の移動を案内する隆起部(raised portion)の形態であり得る。
【００７４】
この変形は、折畳み位置において図１７中に示されており、横バー１１を見ることができる。その両端部１１’は、セグメント４の突起６を越えて突出し、案内部分２５は、セグメント３の陥凹５の長さの一部に亘って延びている。
【００７５】
案内部分２５が、案内部材２５が配置される陥凹５を少なくとも部分的に覆うならば、横バー１０及び／又は１１の端部が突起６を越えて突出させないで、摺動接続部３１の回転運動の制限を行い得る。その場合、案内部分２５は、横バー１０又は１１を案内するか、或いは、相補的なセグメントの突起６を直接的に案内する。図２０乃至２２は、そのような実施態様を示している。
【００７６】
摺動接続部３１は、１つ又は幾つかの案内部分２５を１つ又は幾つかのストップ２８と組み合わせ得る。
【００７７】
図２０乃至２２に示される変形によれば、この場合には横バー１１に固定されるスラット(slat)２９が、セグメント４からの突起６を覆っている。その場合、内部空間がスラット２９とセグメント４との間に定められ、その内側では、横バー１０が平行移動する。
【００７８】
より一般的には、摺動接続部３１によって接続されるセグメント３及び／又は４の一方又は両方は、１つ又は幾つかのスラット２９を備え、少なくとも１つの陥凹５及び／又は１つの突起６を覆い得る。
【００７９】
既述の実施態様におけるように、スラット２９を１つ又は幾つかの案内部分２５と関連付け、よって、摺動接続部３１の案内を向上し得る。
【００８０】
変形として、２つのセグメントの一方３又は４だけが横バー１０又は１１を含み、他方のセグメントは、少なくとも１つのスラット２９を備える。
【００８１】
図２３乃至２５に示される１つの実施態様によれば、セグメント３からの突起６は、横バー１０によって互いに接続されるのに対し、外部シェル２は、セグメント４からの突起６に沿ってパディング２を越えて突出し、且つ、セグメント３に形成されるノッチによって案内されている。これらのノッチを横バー１０に或いはセグメント３からの突起に沿って配置し得る。セグメント４からの突起６の端部は、ストップ３２を有利に備え、或いは、横バー１１によって互いに接続され、よって、摺動接続部３１の離脱を防止する。
【００８２】
図２６乃至２８に示される他の変形によれば、セグメント４からの１つ又は幾つかの突起６は溝３６を備え、セグメント３に固定されるスタッド３５が溝の内側を摺動し得る。溝３６を備える各突起６の端部にストップ３２を形成し得る。セグメント４からの他の突起は、拡張位置において横バー１０の上に係合するタブ３３を有利に備え得る。
【００８３】
その場合、ストップ３２、スラット２９、タブ３３、又は、横バー１１を置換する任意の他の適切な手段の数は、実施態様に依存して異なり得る。
【００８４】
図２９乃至３２は、２つのシェル３７及び３８が２つのセグメント３及び４の突起６及び陥凹５の少なくとも部分的に上にある他の変形を示している。シェル３８は、この場合には横バー１１に固定され、セグメント４を覆っている。シェル３８は、それ自体とセグメント４との間の内部空間を定め、それは横バー１０の移動を案内するよう構成される。第二シェル３７がセグメント３を覆い、それ自体とセグメント３との間に内部空間を定め、それはシェル３８と横バー１１とで構成される組立体の移動を案内するよう構成される。
【００８５】
セグメント３及び４は、図２９では拡張位置において示されており、図３０では折畳み位置に置いて示されている。図３１は、図２９の図に類似するが、シェル３７は示されていない。図３２は、図２９の図に類似するが、シェル３７及び３８は示されていない。
【００８６】
変形として、２つのセグメントの一方３又は４だけがシェル３７又は３８を備え得る。
【００８７】
摺動接続部３１は、防護ヘルメット用途において利点を有する。具体的には、それはストップに起因するセグメントの偶発的な分離を防止することができ、それは剛的な組立体を形成する。ヘルメットの大きさ及び形状を使用者の頭に適合させるためにもそれを使用し得る。
【００８８】
上述したヒンジ接続部におけると同じように、図示される摺動接続部の異なる変形がヘルメット１の構造素子によって、より具体的には、外部シェルによって直接的に作製され、よって、このヘルメットを接続手段がヘルメットに加えられるときよりも強くすることが分かるであろう。
【００８９】
他の実施態様も可能であることが容易に理解されよう。
【００９０】
外部シェル取付け
上述されたように並びに図１に記載されたように、防護ヘルメット１は、外部シェル２と、パディング２’とで構成されるのが普通である。
【００９１】
外部シェル２及びパディング２’を別個に作製し、次に、接着によって或いは接着剤を用いて互いに固定し得る。
【００９２】
他の「型内」(in-mould)技法は外部シェル２を作製し、次に、それを型の内側に配置し、材料、典型的には、ポリスチレンボールを注入することで構成され、それは膨張及び硬化後にパディング２’を形成する。この方法はパディング２が外部シェル２の形状に完全に合致し、２つの部分の間のより良好な結合をもたらすことを可能にする。
【００９３】
幾つかのセグメントから成る外部シェル２の場合には、パディング２を作製するために使用される材料は、各セグメントのために個別的に注入される。
【００９４】
組立体をより強くするために、外部シェル２の一部の部分をパディング２’のフォーム内に埋設させるのが有利であり得る。
【００９５】
図３３及び３４は、外部シェル及びパディングの詳細図を示している。
【００９６】
外部シェル２は、折畳み部(fold)を備える、外部シェル２からの隆起部又は突起の形態の取付け素子を有する。
【００９７】
取付け素子は、射出時にパディング２’の材料と協働するよう構成される内部容積を定める。
【００９８】
より正確には、取付け素子は、パディング２’内に埋設され、よって、取付け素子とパディング２との間のリンクを形成する。「型内」技法は、外部シェル２の各セグメントのために単一のパディング２’を形成するのを助け、次に、以下に記載されるような接続手段によって、これらの異なるセグメントを互いに接続し得る。
【００９９】
図３３及び３４は、一端に折畳み部を備え且つ好ましくは開口４１を含む突出部４０がパディング２’内に埋設される実施態様を示している。
【０１００】
折畳み部及び開口は、外部シェルとパディング２’との間のリンクを形成する。
【０１０１】
図３５及び３６は、内部空間を定める外部シェル２の隆起部４２がパディング２’内に埋設される他の実施態様を示している。この場合、隆起部４２は、２つの開口４１を含み、パディング２’を作製する材料の連続性を保証する。外部シェル２は、隆起部に面して配置される選択的なオリフィス４３も備え、それは外部シェル２の製造を容易化する。
【０１０２】
図３７及び３８は、隆起部４２がより多数の開口４１を備える他の変形を示している。
【０１０３】
図３９及び４０は、図３５の実施態様の変形を示しており、そこでは、隆起部４２の縁部は外部シェル４２に接続されている。
【０１０４】
図４１乃至４２に示される他の変形によれば、隆起部４２はキャップ４４に固定され、キャップ４４は外部シェル２に形成されたオリフィスに係入されている。隆起部４２は少なくとも１つの開口４１を備え得る。図４３は、ヘルメットの内側の図であり、パディング２’は示されていない。
【０１０５】
キャップ４４は、外部シェル２の一体的な部分を形成し得る。
【０１０６】
突出部又は隆起部の形状及びこれらの取付け素子４０，４２に形成される開口４１の数が異なり得るのは明らかである。
【０１０７】
これらの異なる実施態様の利点は、突出部及び／又は隆起部の存在にも拘わらず、如何なる複雑な金型(tooling)をも必要とせずに、外部シェル２を作製し得ることである。
【０１０８】
係止装置
図４４、４５、４６、４７及び４８は、防護ヘルメット１において使用し得る係止装置(locking device)１３を示している。
【０１０９】
図４４は、防護ヘルメット１のセグメント３及び４の上に、典型的には、外部シェル２の上に取り付けられる係止装置１３を示している。
【０１１０】
図４５は、図４４の断面図である。
【０１１１】
図４６は、同じ係止装置１３の分解図を示している。
【０１１２】
図４７及び４８は、係止位置及び解除位置の夫々における同じ係止装置の頂部断面図を示している。
【０１１３】
図示の係止装置１３は、例えば、防護ヘルメット１の２つのセグメント３及び４の接合部に配置される。
【０１１４】
係止装置１３は、ハウジング１４と、プッシャ１５と、係止タブ１６と、取付け手段１７とを含み、係止タブ１６は、防護ヘルメット１のセグメント４と係止タブ１６とによって境界付けられる内部空間を定め、取付け手段１７は、図示の実施態様ではネジである。
【０１１５】
図４４乃至４８に示される実施態様において、係止装置１３を構成する素子の全ては、係止タブ１６を除き、第一セグメント３の上に配置されているのに対し、係止タブ１６は、第二セグメント４の上に配置されている。係止タブ１６はセグメント４の一体的な部分を形成してよく、或いは、係止タブ１６をセグメント４に付加し且つ固定してもよい
【０１１６】
取付け手段１７は、第一セグメント３の隆起部１８内に収容され、隆起部は、取付け手段１７が適合する中央キャビティを含む。
【０１１７】
取付け手段１７及び隆起部１８の数及び配置が実施態様に依存して異なり得るのは明らかであり、多くの他の変形が可能である。例えば、隆起部１８をハウジング１４の上に配置し、よって、取付け手段１７の向きを逆転し得る。セグメント３は隆起部１８を備えなくてもよく、その場合には、ハウジング１４がセグメント３に直接的に固定される。ハウジング１４を、クリンプ加工、リベット打ち、接着、クリック嵌め(click fitting)、又は、溶接のような他の手段によっても固定し得る。ハウジング１４を中間蓋の上に固定してもよく、よって、その支持体（この場合にはセグメント３）と無関係に係止装置１３を作製し得る。ハウジング１４と前記蓋又はセグメント３との間の接合部を他の領域に、例えば、係止タブ１６と反対の側に配置し得る。それらが固定されるセグメント３又は４の一部である代わりに、例えば、ストラップのような可撓材料によって、ハウジング及び／又は係止タブを保持し得る。
【０１１８】
ラッチ１９がハウジング１４の内側を摺動し、ラッチ１９は係止タブ１６によって定められる内部空間と相補的な形状を備える摺動ボルト２１を含む。弾性アーム２０はプッシャ１５を備え、摺動ボルト２１の側でラッチ１９の本体に接続されている。
【０１１９】
図４９乃至５３に示される他の変形によれば、弾性アーム２０は摺動ボルトと反対の側でラッチ１９の本体に接続されている。
【０１２０】
図４４乃至４８に示される実施態様において、ラッチ１９は、摺動ボルト２１の側でラッチ１９の本体の中心で長手方向に結合する２つの案内溝によって、横方向に、換言すれば、Ｙ軸に沿って案内され、それはハウジング１４の内壁と協働する。溝の数は異なり得る。例えば、図５１では、ラッチ１９は、単一の溝のみを有する。ハウジング１４の上、セグメント３の上、或いは、セグメント３との接合部にあるラッチの上に溝を配置してもよく、その場合、面する部分は、相補的な形状を有する。
【０１２１】
図４７及び４８は、セグメント３及び４が互いに対して固定された位置に維持される係止位置、及び、セグメント３及び４の間の相対動作が可能である解除位置における、係止装置１３の頂部断面図をそれぞれ示している。
【０１２２】
係止位置において、摺動ボルト２１は、係止タブ１６によって定められる内部空間内に収容される。次に、プッシャ１５がハウジング１４の外側に突出し、弾性アーム２０は休止位置にある、換言すれば、弾性アーム２０は変形されず、或いは、僅かにだけ押圧され、弾性アーム２０は、ハウジング１４の適切な形状の故に、係止装置を係止位置に保持する。より正確には、（その表面がラッチ１９の摺動方向に対して垂直又は斜めである）弾性アーム２０の外面の一部は、ハウジング１４に形成される横方向開口の縁部と接触するようになる。弾性アーム２０の端部は、スタッド４５を備え得る。スタッド４５は、ハウジング１４の壁の内面と接触するようになり、係止位置において弾性アーム２０の外向きの移動を制限する。
【０１２３】
図４４乃至４８に示される実施態様において、選択的な弾性アーム２２は、この場合にはバネであり、ラッチ１９に対して戻り力を加えることによって、Ｘ方向に沿う力をラッチ１９に加える。従って、１つの安定的な位置があるだけであり、それは係止位置である。
【０１２４】
バネを、弾性的に変形し、且つ、ラッチ、ハウジング又はセグメント３の上に配置される突出部と置換し得る。
【０１２５】
選択的な弾性手段２２がないならば、ラッチ１９は２つの安定的な位置を有し、その一方は係止位置に対応し、他方は解除位置に対応する。従って、ラッチ１９は、装置を係止するために２つのプッシャ１５を使用して摺動させられなければならない。
【０１２６】
そのような実施態様は、図４９乃至５３に示されている。
【０１２７】
ラッチ１９の移動方向と平行である代わりに、弾性アーム２０の外面と接触するハウジング１４の内壁は斜めであってもよく、よって、ラッチ１９の平行移動を容易化する。
【０１２８】
図８６及び８７は、弾性手段２２を含まない他の実施態様を示しており、そこでは、弾性アーム２０の外面はハウジング１４と協働し、ラッチ１９を安定位置、即ち、係止位置に保持する。係止装置１３は、ピン５１を含んでもよく、ピン５１は、弾性アーム２０の内面の適合形状の故に、使用者がプッシャ１５に対して圧力を加えるとき、解除方向におけるラッチ１９の移動を容易化する。
【０１２９】
係止は、摺動ボルト２１によって並びにハウジング１４によって行われる。ハウジング１４は係止タブ１６を取り囲み、よって、図４４に示されるＸ軸及びＹ軸に沿うセグメント３及び４の相対的な移動を制限するのに対し、摺動ボルト２１は、図４４に定められるＺ軸に沿う移動を制限する。
【０１３０】
係止タブ１６及びハウジング１４のそれぞれへの挿入を容易化するために、摺動ボルト２１及び係止タブ１６は傾斜を備えてよく、或いは、幾つかの丸い縁部を備えてもよい。
【０１３１】
係止タブ１６は、底部からＺ方向に沿って上向きにハウジング１４内に挿入されるが、係止タブ１６は反対方向に挿入されてもよい。
【０１３２】
他の実施態様は、異なる方向における係止を含み得る。Ｚ軸に沿う相対動作によってセグメント３及び４を組み立てるために開示の実施態様を使用し得る。しかしながら、他の組立て方法、例えば、Ｘ軸に沿うセグメント３及び４の相対動作を可能にすることが望ましいことも判明し得る。その場合には、係止タブ１６は、少なくとも１つの溝を定めるフックの形態であり得る。溝の内側には突起が収容され、それを、例えば、弾性アーム２０、又は、旋回自由に取り付けられ且つバネのような弾性手段を備える１つ又は幾つかの剛性アームの端部に配置し得る。
【０１３３】
解除位置は、２つのプッシャ１５に対して同時に圧力を加え、次に、摺動ボルト２１を係止タブ１６によって定められる内部空間から解放するようラッチ１９を摺動することによって得られる。次に、２つのセグメント３及び４をＺ軸に沿って互いに対して移動し得る。弾性アーム２０は弾性的に変形され、弾性アーム２０の屈曲はラッチ１９の本体によって制限される。ハウジング１４又はセグメント３によってストップを作製してもよい。
【０１３４】
弾性アーム２０を剛性アームと置換してもよく、剛性アームは、ラッチ１９に装着されて旋回し、螺旋バネ又は前記剛性アームをハウジング１４の外側に向かって保持する細片(strip)のような弾性装置を備える。
【０１３５】
この係止装置１３の多くの可能な変形がある。例えば、係止タブ１６は、図４９乃至５３に例示される実施態様に示されるフックの形態であり得るし、或いは、係止タブ１６は、幾つかの内部空間を定め、その内側には、適切に成形された摺動ボルト２１が挿入され、例えば、前記内部空間と相補的な幾つかの突起を含む。
【０１３６】
図５４乃至５８に示される実施態様は、図４４乃至４８中の実施態様と類似するが、摺動ボルト２１がラッチ１９に固定される代わりに、摺動ボルト２１はラッチ１９に対して移動可能である。ラッチ１９と摺動ボルト２１との間に配置されるバネ４８又は任意の他の弾性手段が、摺動ボルト２１を所定位置に保持する。この実施態様は、摺動ボルト２１及び係止タブ１６の適切な形状の故に、係止タブがハウジング内に挿入されるときに係止し、ラッチ１９を移動する必要がないという利点を有する。係止装置１３を解放するためにラッチが移動されるときに、摺動ボルト２１がラッチ１９の移動に従うよう、ストップがラッチ１９と摺動ボルト２１との間に配置される。係止装置１３は必ずしも弾性手段２２を有する必要はない。
【０１３７】
図５９乃至６３に示される他の実施態様によれば、ハウジング１４は弾性変形可能なリップ４６を含み、プッシャ１５がリップ４６の上に配置される。その場合、弾性アーム２０は、使用者がプッシャ１５に対して力を加えるときにリップ４６と相互作用するよう設計されるランプ４７を備え、よって、ラッチ１９の移動を引き起こす。ラッチ１９は弾性手段２２によって安定的な位置に保持される。
【０１３８】
図６９乃至７３は、ランプ４７がラッチ１９の本体の上に剛的に固定された実施態様を示している。リップ４６はランプ４７と相互作用し、使用者がリップ４６の上に配置されたプッシャ１５に対して力を加えるときに、ラッチ１９の移動を引き起こす。弾性手段２２はラッチ１９を安定的な位置に保持する。
【０１３９】
図７４乃至７７に示される実施態様は、図６９乃至７３に示される実施態様と類似するが、ラッチ１９はリップ４６の端部と協働するフック４９を備え、リップ４６が自由な状態のときの解除の危険性を低減する。
【０１４０】
図６４乃至６８に示される他の変形によれば、摺動ボルト２１とは反対の側で、リップ４６をハウジング１４に接続し得る。その上、この実施態様は、ラッチ１９から独立し且つバネ４８によって所定位置に保持される摺動ボルト２１を有利に有する。
【０１４１】
弾性的に変形可能なリップ４６を、ハウジング１４上に旋回自在に取り付けられ、且つ、弾性素子、好ましくは、バネを備える剛的なリップと置換し得る。
【０１４２】
図７８乃至８１は、図６４乃至６８に示される実施態様と類似する実施態様を示しているが、そこでは、ハウジング１４は如何なるリップ４６をも有さず、２つのプッシャ１５はハウジング１４から独立している。それらは横方向に、換言すれば、Ｙ軸に沿って摺動自在であり、弾性アーム２０によってハウジング１４の外側付近に保持されている。プッシャ１５は、弾性アーム２０のランプ４７と相互作用し、よって、使用者がプッシャ１５に対して力を加えるときにラッチ１９の移動を引き起こすよう設計される。変形として、摺動ボルト２１をラッチ１９に固定し得る。
【０１４３】
図８２乃至８５に示される他の変形によれば、２つのプッシャ１５は独立している。それらはラッチ１９に対して横方向に、換言すれば、Ｙ軸に沿って摺動自在であり、弾性手段５０、例えば、バネによってハウジング１４の外側付近に保持される。プッシャ１５は、ハウジング１４の適切な形状の故に、係止装置１３を係止位置に保持する。この実施態様は、上述のようなバネ４８によって保持されるラッチ１９とは無関係に弾性手段２２及び／又は摺動ボルト２１を備え得る。
【０１４４】
図９１乃至９５に示される他の実施態様によれば、ラッチ１９は、ハウジング１４のノッチ内に収容される１つ又は幾つかの弾性的に変形可能な突起５２を含む。その場合には、使用者はラッチ１９の平行移動のみを行い、プッシャ１５はそのような動作に適合される。この変形は２つの安定的な位置、即ち、係止位置及び解除位置を有する。
【０１４５】
図８８乃至９０に示される変形は、図９１乃至９５中の実施態様と類似するが、弾性突起５２は、ラッチ１９を係止位置に保持する戻り力を加える。この実施態様は、係止タブ１６がハウジング１４内に挿入されるときに自動係止し、摺動ボルト２１及び係止タブ１６の適切な形状の故に、使用者がラッチ１９を移動する必要がないという利点を有する。
【０１４６】
弾性突起５２の数は異なり得る。それらはハウジング１４又はセグメント３の一体的な部分であってよく、或いは、それらを他の弾性素子、例えば、バネ型素子と置換してもよい。
【０１４７】
他の実施態様によれば、その内側に取付け手段１７が収容される隆起部１８内の中央キャビティは、セグメント３の表面に対して傾斜しており、それはセグメントの製造中に利点を有する。
【０１４８】
２つのプッシャ１５を備える係止装置１３の１つの可能な変形の実施態様は、係止が一方の側だけから行われる単一のプッシャ１５を含み得る。
【０１４９】
そのような係止装置１３は多くの利点を有する。具体的には、係止装置１３は、選択される実施態様に依存して異なり得る移動方向に沿うセグメントの頑強（ロバスト）な係止をもたらし得る。使用者はそれを容易に操作可能でありながら、係止が確実であることを保証する。何故ならば、装置がハウジング１４の各側に配置される２つのプッシャ１５を含む場合、係止を解除する唯一の方法は、ハウジング１４の各側に配置される２つのプッシャ１５の上に同時に圧力を加えることだからである。
【０１５０】
その上、この係止装置１３を、例えば、スポーツ用品、バッグ、旅行荷物、保育アクセサリ、及び、家庭用品のような他の領域にも適用可能である。
【０１５１】
具体的には、係止装置１３の異なる実施態様を上述の異なる接続型（ヒンジ接続部３０及び摺動接続部３１）と組み合わせ得る。
【０１５２】
上述の素子を備える防護ヘルメット
上述の異なる素子、即ち、少なくとも１つのヒンジ接続部３０及び／又は少なくとも１つの摺動接続部３１、並びに、有利に、少なくとも１つの係止装置１３を備える防護ヘルメット１は、不使用時の寸法に関して利点を有する。
【０１５３】
使用中、防護ヘルメット１は従来的な形状を有し、摺動接続部３１及び／又はヒンジ接続部３０と係止装置１３との組み合わせによって、ヘルメットを構成する異なるセグメントが互いに対して固定された状態に保持される。
【０１５４】
セグメント並びにヒンジ接続部３０及び／又は摺動接続部３１の特別な配置は、ヘルメット１を折り畳む特別な運動力学的な結果(sequence)をもたらし、その大きさを減少する。
【０１５５】
図９６乃至９９は、上述のヒンジ接続部３０、摺動接続部３１、及び、係止装置１３を備える防護ヘルメット１の一例を示している。
【０１５６】
防護ヘルメット１は、図９６及び９７に使用位置及び拡張位置において示され、図９８及び９９に折畳み位置において示されている。
【０１５７】
ヘルメット１は、セグメント１００、１０１、１０２、１０３、１０４、１０５、１０６及び１０７で構成されている。周辺セグメント１００、１０１、１０２、１０３、１０４、１０５は、ヒンジ接続部３０を用いて対に接続されている。より正確には、ヒンジ接続部３０は、セグメント１００及び１０１、セグメント１０１及び１０３、セグメント１０３及び１０５、セグメント１０５及び１０４、セグメント１０４及び１０２、セグメント１０２及びセグメント１００を互いに接続している。中央セグメント１０６及び１０７は、摺動接続部３１によって互いに接続されている。セグメント１０６は、防護ヘルメット１の各側に配置される２つのヒンジ地点で構成される旋回接続部９０を用いてセグメント１００に接続されている。
【０１５８】
拡張位置において、セグメントは、セグメント１０６及び１０３、セグメント１０６及び１０４、並びに、セグメント１０７及び１０５を接続する３つの係止装置１３によって、互いに対して固定された状態で保持される。少数の係止装置１３は、全ての固定されたセグメントを一体に保持し得る。それにも拘わらず、例えば、ヘルメット１の強度又はエルゴノミクスを向上するために、係止装置１３の数及びそれらの位置は異なり得る。例えば、セグメント１０６をセグメント１０１及び１０２に接続するために、セグメント１０６をセグメント１０３及び１０４に接続する係止装置１３を移動し得る。
【０１５９】
ヘルメットが使用されていないとき、使用者は係止装置１３を解除可能であり、よって、異なるセグメントの移動を可能にする。２つのセグメント１０６及び１０７の間の摺動接続部３１を用いて、並びに、これらのセグメントに形成される陥凹及び突起によって形成されるこれらのセグメントの開口を通じて、セグメント１０７は、セグメント１０６内に係入される。次に、セグメント１０５がセグメント１００に向かって移動するよう、セグメント１０１、１０２、１０３、１０４を、周辺セグメントを互いに接続するヒンジ接続部３０を通じてヘルメット１の内側に畳み込み得る。その場合には、セグメント１０６及び１０７で構成される組立体は、旋回接続部９０を通じてセグメント１００について旋回可能であり、よって、セグメント１０５を覆う。
【０１６０】
拡張操作は逆の順序において行われる。しかしながら、これらの操作が行われる順序は異なり得る。
【０１６１】
このように折り畳まれたヘルメット１が図９８及び９９に示されている。ヘルメットはより小さく、この場合には、拡張位置にあるときに使用者の頭がその内側に適合するキャビティに対応するヘルメット１の内側の空間が非常に減少されるのを見ることができる。
【０１６２】
その上、係止装置１３と、ヒンジ接続部３０と、摺動接続部３１との間の相乗効果の故に、拡張位置から折畳み位置に移動させ、その逆に移動させるために、使用者は少数の操作を行う必要があるだけである。
【０１６３】
そのような防護ヘルメット１を、様々な用途において、特に、自転車又はオートバイ用ヘルメットのために使用し得る。
【０１６４】
図１００及び１０１に示される他の変形によれば、ヘルメット１は、周辺セグメント１１０、１１１、１１２、１１３、１１４、１１５と、中央セグメント１１６、１１７とで構成されている。周辺セグメントは、ヒンジ接続部３０を通じて互いに対に接続されている。セグメント１１０及び１１６、並びに、セグメント１１５及び１１７は、摺動接続部３１を通じて互いに接続されている。セグメント１１６及び１１７は、旋回接続部９０によって互いに接続されている。ヘルメット１は、セグメント１１７をセグメント１１３及び１１４に接続する２つの係止装置１３も含む。
【０１６５】
図１０２及び１０３に示される他の変形によれば、ヘルメット１は、周辺セグメント１２０、１２１、１２２、１２３、１２４、１２５と、中央セグメント１２６、１２７、１２８とで構成されている。周辺セグメントは、ヒンジ接続部３０を通じて互いに対で接続されている。セグメント１２０及び１２６は、セグメント１２７及び１２８と同じ方法で、摺動接続部３１によって接続されている。セグメント１２６及び１２７は、旋回接続部９０によって互いに接続されている。ヘルメット１は、３つの係止装置１３も含み、係止装置１３は、先ず、セグメント１２７をセグメント１２１及び１２２に接続し、次に、セグメント１２８をセグメント１２５に接続する。
【０１６６】
図１０４乃至１０７に示される他の変形によれば、ヘルメット１は、周辺セグメント１３０、１３１、１３２、１３３、１３４、１３５、１３６と、中央セグメント１３７とで構成される。周辺セグメントは、ヒンジ接続部３０を通じて対に接続されている。中央セグメント１３７は、旋回接続部９０を用いてセグメント１３０に接続されている。このヘルメット１は、セグメント１３７をセグメント１３３、１３４、１３６に接続する、３つの係止装置１３も含む。
【０１６７】
図１０８乃至１１１に示される他の変形によれば、ヘルメット１は、周辺セグメント１４０、１４１、１４２、１４３、１４４、１４５、１４６、１４７と、中央セグメント１４８とで構成されている。セグメント１４８は、摺動接続部３１を通じてセグメント１４０及び１４７に接続されている。ヒンジ接続部３０は、周辺セグメントを互いに対に接続している、換言すれば、セグメント１４０及び１４１、１４０及び１４２、１４７及び１４５、１４７及び１４６、１４３及び１４１、１４３及び１４５、１４４及び１４２、１４４及び１４６を接続している。ヘルメット１は、セグメント１４８をセグメント１４３及び１４４に接続する２つの係止装置１３も含む。セグメント１４１及び１４５は薄肉であるので、セグメント１４１及び１４５はセグメント１４３を部分的に覆い、セグメント１４２及び１４６も薄肉であり、セグメント１４４を部分的に覆う。セグメント１４１、１４２、１４５、１４６は薄肉でなくてもよく、この場合、それらはセグメント１４３及び１４４を覆わない。２つの係止装置１３が解除されるとき、２つのセグメント１４３及び１４４は、周辺セグメントを接続するヒンジ接続部３０を通じて、セグメント１４８の下に収容されるようヘルメット１の内側に向かって移動可能である。このときの間、セグメント１４０及び１４７は、摺動接続部３１を通じてセグメント１４８内に係入される。このようにして折り畳まれたヘルメット１が図１１０及び１１１に示されている。
【０１６８】
図９６乃至１１１に示される実施態様において、各周辺セグメントは、ヒンジ接続部３０を用いて、隣接するセグメントに接続されている。周辺セグメントの数は異なり得る。周辺セグメントを接続する１つ若しくは幾つかの群の又は全てのヒンジ接続部３０のヒンジピンが互いに平行又は並行であるならば有利であり得る。
【０１６９】
中央セグメントの数も異なり得る。中央セグメントを互いに並びに周辺セグメントに接続する接続及び係止手段の数は異なり得るし、それらを別に組み合わせ得る。
【０１７０】
図１１２乃至１１５に示される他の実施態様によれば、ヘルメット１は、周辺セグメント１５０、１５１、１５２、１５３と、中央セグメント１５４とで構成されている。セグメント１５０は、ヒンジ接続部３０を通じてセグメント１５１及び１５２に接続されている。セグメント１５３は、摺動接続部３１を通じてセグメント１５１及び１５２に接続されている。セグメント１５４は、摺動接続部３１を通じてセグメント１５０に接続され、旋回接続部９０を通じてセグメント１５３に接続されている。
【０１７１】
図１１６乃至１１９に示される他の変形によれば、ヘルメット１は、周辺セグメント１６０、１６１、１６２と、中央セグメント１６３とで構成されている。セグメント１６０は、ヒンジ接続部３０を通じてセグメント１６１及び１６２に接続されている。セグメント１６１及び１６２は、摺動接続部３１を通じて接続されている。セグメント１６３は、摺動接続部３１を通じてセグメント１６０に接続されている。セグメント１６３は、環状直線接続部９１によってセグメント１６１に並びにセグメント１６２に接続され、２つの関連するセグメントの間の平行移動における案内を提供している。
【０１７２】
図１２０乃至１２２に示される他の変形によれば、ヘルメット１は、周辺セグメント１７０、１７１、１７２、１７３と、中央セグメント１７４とで構成されている。セグメント１７０は、ヒンジ接続部３０によってセグメント１７１及び１７２に接続されている。セグメント１７０及び１７４は、摺動接続部３１を通じて接続されている。セグメント１７４は、環状直線接続部９１を通じてセグメント１７１及び１７２に接続されている。セグメント１７３は、摺動接続部３１を通じてセグメント１７１及び１７２に接続されている。セグメント１７３の２つの摺動接続部の陥凹５はセグメントの中央で結合され、その場合、突起６は、横方向バーを除き、互いに接続されない。変形として、陥凹５は必ずしも中心で結合される必要はない。
【０１７３】
図１２３乃至１２５に示される他の変形によれば、ヘルメット１は、周辺セグメント１８０、１８１、１８２、１８３、１８４、１８５と、中央セグメント１８６とで構成されている。セグメント１８０は、ヒンジ接続部３０を通じてセグメント１８１及び１８２に接続されている。セグメント１８５は、ヒンジ接続部３０を通じてセグメント１８３及び１８４に接続されている。セグメント１８１及び１８３は、セグメント１８２及び１８４のように、摺動接続部３１を通じて共に接続されている。セグメント１８６は、先ず、摺動接続部３１を通じてセグメント１８０に接続され、次に、旋回接続部９０を通じてセグメント１８５に接続される。
【０１７４】
図１２６乃至１２８に示される他の変形によれば、ヘルメット１は図９６中のヘルメットに類似するが、セグメント１０５をセグメント１０３及び１０４に接続するヒンジ接続部３０は、摺動接続部３１によって置換されている。
【０１７５】
実施態様１１２乃至１２８において、各周辺セグメントは、ヒンジ接続部３０又は摺動接続部３１によって、隣接する周辺セグメントに接続されている。周辺セグメントの数並びにヒンジ接続部及び摺動接続部の配置が異なり得るのは明らかである。
【０１７６】
摺動接続部３１を通じて接続される各セグメントは、上述したように、少なくとも１つの案内部２５及び／又は少なくとも１つのスラット２９を備え得る。
【０１７７】
中央セグメントの数も異なり得る。中央セグメントを互いに並びに周辺セグメントに接続する接続手段及び係止手段の数は異なり得るし、それらを別に組み合わせ得る。
【０１７８】
ヘルメット１の係止システムは、これらの実施態様のために示されていない。それらが上述した係止装置１３と同じ形態であり得ることは明らかであるが、ヘルメット１の大きさ及び形状を使用者の頭に適合させるよう、陥凹５が空いている完全拡張位置と陥凹５が相補的セグメントの突起６によって占められる折畳み位置との間の中間位置に摺動接続部３１を保持する少なくとも１つのシステムを備えるヘルメット１を提供することが有利であり得る。摺動接続部３１を中間位置に保持するためのこのシステムは、歯及び追歯車(tooth and ratchet)システム又はラック及びピニオン(rack and
pinion)システムから成り得る。このシステムをセグメントに直接的に固定してよく、例えば、ラック又は歯は、１つのセグメントの突起６の上に配置され、爪車又はピニオンは、相補的セグメントに固定される横方向バーの上に配置される。例えば、円形ヘルメット上で使用されるのが普通であるヘッドバンドのようなストラップ又はバンドを使用して、この保持システムをセグメントにも接続し得る。この構成において、ストラップ又はヘッドバンドは、隣接するセグメントの上に必ずしも固定されなくてもよい。
【０１７９】
図１２９乃至１３１に示される他の変形によれば、ヘルメット１は、セグメント２００、２０１、２０２、２０３で構成されている。セグメント２００は、旋回接続部９０を通じてセグメント２０１及び２０２に接続されている。セグメント２００は、ヒンジ接続部３０を通じてセグメント２０３に接続されている。ヘルメット１は、セグメント２０３をセグメント２０１及び２０２に接続する２つの係止装置１３を含む。
【０１８０】
図１３２乃至１３５に示される他の変形によれば、ヘルメット１は、周辺セグメント２１０、２１１、２１２、２１３と、中央セグメント２１４、２１５とで構成されている。セグメント２１０及び２１４は、摺動接続部３１を通じて接続されている。セグメント２１５は、ヒンジ接続部３０を通じてセグメント２１１、２１２、２１３、２１４に接続されている。ヘルメット１は、４つの係止装置１３も含み、係止装置は、先ず、セグメント２１０をセグメント２１１及び２１２に接続し、次に、セグメント２１３をセグメント２１１及び２１２に接続する。
【０１８１】
セグメント２１０及び２１４を接続する摺動接続部３１をヒンジ接続部３０と置換し得る。セグメント２１３及び２１５を接続するヒンジ接続部３０を摺動接続部３１と置換し得る。
【０１８２】
図１３６乃至１３９に示される他の変形によれば、ヘルメット１は、周辺セグメント２２０、２２１、２２２、２２３、２２４，２２５と、中央セグメント２２６とで構成されている。摺動接続部３１がセグメント２２１及び２２３を接続し、摺動接続部３１がセグメント２２２及び２２４を接続している。摺動接続部３１はセグメント２２６をセグメント２２０及び２２５にも接続している。ヒンジ地点９２がセグメント２２０をセグメント２２１及び２２２に接続し、同様に、セグメント２２５をセグメント２２３及び２２４に接続している。
【０１８３】
図１４０乃至１４３に示される他の変形によれば、ヘルメット１は、セグメント２３０、２３１、２３２、２３３、２３４で構成されている。摺動接続部３１がセグメント２３０をセグメント２３１及び２３２に接続している。選択的なヒンジ地点９２がセグメント２３０をセグメント２３１及び２３２にも接続している。旋回接続部９０がセグメント２３３をセグメント２３０及び２３４に接続している。セグメント２３４に固定されるロッド９３が、旋回接続部９０を通じたセグメント２３３及び２３４の間の回転動作を制限する。ヘルメット１は、セグメント２３４をセグメント２３１及び２３２に接続する２つの係止装置１３も含む。
【０１８４】
ヘルメット１は、必ずしも如何なるセグメント２３３をも有する必要はなく、その場合、セグメント２３４は、例えば、旋回接続部９０を通じて、セグメント２３０に直接的に接続される。
【０１８５】
図１４４乃至１４６に示される他の変形によれば、ヘルメット１は、セグメント２３０、２３１、２３２、２４３、２４４、２４５で構成されている。セグメント２３０は、図１４０乃至１４３に示されるヘルメットの実施態様と類似の方法で、セグメント２３１及び２３２に接続されている。セグメント２３１及び２４３は、セグメント２３２及び２４４のように、ヒンジ地点９２によって接続されている。セグメント２４５は、摺動接続部３１を通じてセグメント２４３及び２４４に接続されている。これらの２つの摺動接続部３１は、図２６乃至２８に示されたナックル及び溝システムに類似したナックル３５及び溝３６システムを含み得る。セグメント２４５の２つのより薄肉のゾーン９４を、摺動接続部３１を通過する陥凹５と置換し得る。ヘルメット１は、セグメント２３０及び２４５を接続する係止装置１３も含む。折畳み位置に移動するとき、セグメント２４５は、セグメント２３０の下に位置付けられる。
【０１８６】
図１４７乃至１４９に示される他の変形によれば、ヘルメット１は、セグメント２５０、２５１、２５２と、顎紐(chin strap)２５３と、バイザ(visor)２５４とで構成されている。セグメント２５１は、摺動接続部３１を通じてセグメント２５０及び２５２に接続されている。セグメント２５０及び２５２は、旋回接続部９０を通じて接続されている。バイザ２５４に固定された顎紐２５３は、例えばそれをセグメント２５２に接続する、旋回接続部９０を通じて移動自由である。顎紐２５３及びバイザ２５４が互いに対して移動自由であるのは明らかである。ヘルメット１は必ずしも顎紐２５３及び／又はバイザ２５４を有する必要はない。セグメント２５０及び２５２を接続する旋回接続部９０を、セグメント２５１をセグメント２５０及び２５２に接続する２つの旋回接続部９０と置換し得る。図１４８は、拡張位置にあるヘルメット１を示しており、顎紐２５３は上げられた状態にある。
【０１８７】
異なる実施態様は実施例として付与されているに過ぎないので、図面に示される陥凹５及び突起６の数及び幾何学的構成が異なり得るのは明らかである。
【０１８８】
異なる実施態様のために図示した係止装置１３の形状は、上述の形状と異なり得る。
【０１８９】
折畳み位置にあるヘルメット１の変形を示す図面は、明瞭性の理由のために係止装置１３を示していない。
【０１９０】
既述の異なる手段の異なる組み合わせを使用する他の実施態様を想定し得るのは明らかである。具体的には、既述のヘルメットの変形に関して、例えば、ヘルメットの長さ及び幅を交換することによって、ヘルメットの上にセグメントを別に位置付けることが可能である。
【０１９１】
ヘルメットの異なる実施態様では、ヒンジ接続部３０を従来的な旋回接続部と置換してよく、或いは、可撓又は半剛性接続部と置換してもよい。
【０１９２】
既述のヘルメットの実施態様における各接続手段及び係止手段は、２つのセグメントを互いに接続する。これらの手段が２つよりも多くのセグメントを同時に接続する他の変形も想定し得る。
【０１９３】
図１５０乃至１５２は、図９６乃至９９に示されるヘルメット１の特別な変形の実施態様を示している。図１５０は、拡張位置にあるヘルメット１を示しており、図１５１は、拡張位置と折畳み位置との間の中間位置にあるヘルメット１を示しており、図１５２は、図１５０及び１５１に示されるヘルメット上に配置されるヒンジ接続部３０の詳細な断面図である。上述と同じような方法で、これらの図面に示されるヘルメット１は、周辺セグメント１００、１０１、１０３、１０５、１０２、１０４（後の２つは図面１５０及び１５１に示されていない）と、２つの中央セグメント１０６及び１０７とを含む。
【０１９４】
この変形において、ヒンジ接続部３０の一部は、１つ又は幾つかの安定的な位置を決定する戻り力を加える少なくとも１つの機構を備える。戻り機構は、ヘルメット１の取扱いを容易化するために、非円形プロファイル、典型的には、カムプロファイルを備えるセグメントと関連付けられる、板バネ、渦巻バネ、コイルバネ、又は、図１５０乃至１５２に示される弾性リップのような、弾性手段を含み得る。この実施例において、弾性リップ９８はヘルメット１のセグメント１００に固定され、１つ又は幾つかの安定的な位置をもたらすカムプロファイルを有するセグメント１０１と協働する。ヒンジ接続部３０のための回転ストップとしてもリップを使用し得る。
【０１９５】
戻り力を加えるこの機構を、上述のようにヘルメット１の外表面の各側に交互に配置される開口を含むヒンジ接続部３０を形成するナックルと有利に組み合わせ得る。
【０１９６】
図１５０及び１５１に示される変形は、セグメント１０７及びセグメント１０７のバーに固定される、少なくとも１つのオーバーラップ素子９７も含み、セグメント１０６の突起を少なくとも部分的に覆う。この実施態様の効果は、特に、これらのセグメントが折畳み位置にあるときに、ストップを形成することによって、セグメント１０６及び１０７を接続する摺動接続部３１の回転動作を制限することである。
【０１９７】
その上、このヘルメットの変形において、セグメント１０７はヘルメット１の各側に２つのストップ９５を含み、ストップは、セグメント１０１、１０３の移動及びセグメント１０２、１０４（これらの図面には示されていない）の移動を制限する。
【０１９８】
ヘルメット１、より正確には、セグメント１０７が拡張位置にあるとき、ストップ９５は、２つのセグメントのうちの一方、典型的には、図１５０及び１５１に示される実施態様におけるセグメント１０３と協働することによって、セグメント１０１及び１０３の移動を制限する。同様に、セグメント１０１及び１０３に面する周辺セグメント１０２及び１０４の移動も、ストップ１０５と類似のストップによって制限される。
【０１９９】
セグメント１０５及び１０７を接続する係止装置１３が解除されるや否や、摺動接続部３１を通じたセグメント１０６内へのセグメント１０７の係入は、セグメント１０２、１０３、１０４を内向きに折り畳むことを可能にし、よって、ヘルメット１の折畳みを可能にする。ヘルメット１の外側に向かうセグメント１０１、１０２、１０３、１０４の移動は、セグメント１００、１０６、又は、１０７に配置されるストップによって制限されるのが好ましい。図示の変形では、セグメント１０６の各側に配置される２つのストップ９６が、セグメント１０１、１０３及びセグメント１０２、１０４（図１５０及び１５１には示されていない）の外向きの移動を制限する。
【０２００】
これらのストップ９５は係止装置と置換し、よって、ヘルメット１に含められる係止装置の数を減少する。
【０２０１】
例えば、図９６乃至９９に示される変形ヘルメットの全体的な構成は、図１５０及び１５１に示されるヘルメットの全体的な構成と類似するが、この第一の変形は、３つの係止装置１３を含むのに対し、図１５０及び１５１に示される変形は、２つのストップ９５と組み合わせで単一の係止装置１３を含み、この単一の係止装置１３は、セグメント１０７の移動を係止するのを可能にする。
【０２０２】
他の実施態様によれば、ヘルメット１は、図１５０及び１５１に示されるヘルメットと類似するが、セグメント１００及び１０６は固定され、単一のセグメントを形成する。その場合には、これらの２つのセグメントを接続する旋回接続部９０は排除される。
【図１】
2013500405.tif 000003
【図２】
2013500405.tif 000004
【図３】
2013500405.tif 000005
【図４】
2013500405.tif 000006
【図５】
2013500405.tif 000007
【図６】
2013500405.tif 000008
【図７】
2013500405.tif 000009
【図８】
2013500405.tif 000010
【図９】
2013500405.tif 000011
【図１０】
2013500405.tif 000012
【図１１】
2013500405.tif 000013
【図１２】
2013500405.tif 000014
【図１３】
2013500405.tif 000015
【図１４】
2013500405.tif 000016
【図１５】
2013500405.tif 000017
【図１６】
2013500405.tif 000018
【図１７】
2013500405.tif 000019
【図１８】
2013500405.tif 000020
【図１９】
2013500405.tif 000021
【図２０】
2013500405.tif 000022
【図２１】
2013500405.tif 000023
【図２２】
2013500405.tif 000024
【図２３】
2013500405.tif 000025
【図２４】
2013500405.tif 000026
【図２５】
2013500405.tif 000027
【図２６】
2013500405.tif 000028
【図２７】
2013500405.tif 000029
【図２８】
2013500405.tif 000030
【図２９】
2013500405.tif 000031
【図３０】
2013500405.tif 000032
【図３１】
2013500405.tif 000033
【図３２】
2013500405.tif 000034
【図３３】
2013500405.tif 000035
【図３４】
2013500405.tif 000036
【図３５】
2013500405.tif 000037
【図３６】
2013500405.tif 000038
【図３７】
2013500405.tif 000039
【図３８】
2013500405.tif 000040
【図３９】
2013500405.tif 000041
【図４０】
2013500405.tif 000042
【図４１】
2013500405.tif 000043
【図４２】
2013500405.tif 000044
【図４３】
2013500405.tif 000045
【図４４】
2013500405.tif 000046
【図４５】
2013500405.tif 000047
【図４６】
2013500405.tif 000048
【図４７】
2013500405.tif 000049
【図４８】
2013500405.tif 000050
【図４９】
2013500405.tif 000051
【図５０】
2013500405.tif 000052
【図５１】
2013500405.tif 000053
【図５２】
2013500405.tif 000054
【図５３】
2013500405.tif 000055
【図５４】
2013500405.tif 000056
【図５５】
2013500405.tif 000057
【図５６】
2013500405.tif 000058
【図５７】
2013500405.tif 000059
【図５８】
2013500405.tif 000060
【図５９】
2013500405.tif 000061
【図６０】
2013500405.tif 000062
【図６１】
2013500405.tif 000063
【図６２】
2013500405.tif 000064
【図６３】
2013500405.tif 000065
【図６４】
2013500405.tif 000066
【図６５】
2013500405.tif 000067
【図６６】
2013500405.tif 000068
【図６７】
2013500405.tif 000069
【図６８】
2013500405.tif 000070
【図６９】
2013500405.tif 000071
【図７０】
2013500405.tif 000072
【図７１】
2013500405.tif 000073
【図７２】
2013500405.tif 000074
【図７３】
2013500405.tif 000075
【図７４】
2013500405.tif 000076
【図７５】
2013500405.tif 000077
【図７６】
2013500405.tif 000078
【図７７】
2013500405.tif 000079
【図７８】
2013500405.tif 000080
【図７９】
2013500405.tif 000081
【図８０】
2013500405.tif 000082
【図８１】
2013500405.tif 000083
【図８２】
2013500405.tif 000084
【図８３】
2013500405.tif 000085
【図８４】
2013500405.tif 000086
【図８５】
2013500405.tif 000087
【図８６】
2013500405.tif 000088
【図８７】
2013500405.tif 000089
【図８８】
2013500405.tif 000090
【図８９】
2013500405.tif 000091
【図９０】
2013500405.tif 000092
【図９１】
2013500405.tif 000093
【図９２】
2013500405.tif 000094
【図９３】
2013500405.tif 000095
【図９４】
2013500405.tif 000096
【図９５】
2013500405.tif 000097
【図９６】
2013500405.tif 000098
【図９７】
2013500405.tif 000099
【図９８】
2013500405.tif 000100
【図９９】
2013500405.tif 000101
【図１００】
2013500405.tif 000102
【図１０１】
2013500405.tif 000103
【図１０２】
2013500405.tif 000104
【図１０３】
2013500405.tif 000105
【図１０４】
2013500405.tif 000106
【図１０５】
2013500405.tif 000107
【図１０６】
2013500405.tif 000108
【図１０７】
2013500405.tif 000109
【図１０８】
2013500405.tif 000110
【図１０９】
2013500405.tif 000111
【図１１０】
2013500405.tif 000112
【図１１１】
2013500405.tif 000113
【図１１２】
2013500405.tif 000114
【図１１３】
2013500405.tif 000115
【図１１４】
2013500405.tif 000116
【図１１５】
2013500405.tif 000117
【図１１６】
2013500405.tif 000118
【図１１７】
2013500405.tif 000119
【図１１８】
2013500405.tif 000120
【図１１９】
2013500405.tif 000121
【図１２０】
2013500405.tif 000122
【図１２１】
2013500405.tif 000123
【図１２２】
2013500405.tif 000124
【図１２３】
2013500405.tif 000125
【図１２４】
2013500405.tif 000126
【図１２５】
2013500405.tif 000127
【図１２６】
2013500405.tif 000128
【図１２７】
2013500405.tif 000129
【図１２８】
2013500405.tif 000130
【図１２９】
2013500405.tif 000131
【図１３０】
2013500405.tif 000132
【図１３１】
2013500405.tif 000133
【図１３２】
2013500405.tif 000134
【図１３３】
2013500405.tif 000135
【図１３４】
2013500405.tif 000136
【図１３５】
2013500405.tif 000137
【図１３６】
2013500405.tif 000138
【図１３７】
2013500405.tif 000139
【図１３８】
2013500405.tif 000140
【図１３９】
2013500405.tif 000141
【図１４０】
2013500405.tif 000142
【図１４１】
2013500405.tif 000143
【図１４２】
2013500405.tif 000144
【図１４３】
2013500405.tif 000145
【図１４４】
2013500405.tif 000146
【図１４５】
2013500405.tif 000147
【図１４６】
2013500405.tif 000148
【図１４７】
2013500405.tif 000149
【図１４８】
2013500405.tif 000150
【図１４９】
2013500405.tif 000151
【図１５０】
2013500405.tif 000152
【図１５１】
2013500405.tif 000153
【図１５２】
2013500405.tif 000154
【国際調査報告】
2013500405.tif 000155
2013500405.tif 000156
2013500405.tif 000157
2013500405.tif 000158
2013500405.tif 000159
2013500405.tif 000160